(57)【要約】【課題】凸状万線と印刷万線を用いて、高い刷合せ精度を要さず、かつ、緻密な凹凸形状によって、傾けることで出現するカラー画像が、輪郭が強調されることにより明瞭に視認され、併せて視認可能な画像が三種類以上出現する印刷物を提供することを目的とする。【解決手段】基材上に形成された凸状万線に平行に配列された直線状の第一の要素及び第二の要素が複数配置されて第一の画像、第二の画像及び第三の画像が形成された特殊潜像模様形成体であって、凸状万線は凸画線が一部存在しない輪郭部により潜像部と背景部に区分けされ、第一の要素は凸画線とは異なる少なくとも第１の色で潜像部の第一の側部に沿って配置され、第二の要素は凸画線及び第１の色とは異なる少なくとも第２の色で潜像部の第二の側部に沿って配置され、斜めから観察すると、第１の色と第２の色が混色した輪郭部により潜像画像が視認できる。【選択図】図１
2015013380.tif 000002
【特許請求の範囲】
【請求項１】
基材上における少なくとも一部に凸状万線が形成され、前記凸状万線に平行に配列された直線状の第一の要素及び第二の要素が複数配置されて第一の画像、第二の画像及び第三の画像が形成された特殊潜像模様形成体であって、
前記凸状万線は、前記凸状万線を構成する各々の凸画線が第一の側部及び第二の側部を有して成り、かつ、前記凸画線が一部存在しない輪郭部により潜像部と背景部に区分けされ、
前記第一の要素は、前記凸画線とは異なる少なくとも第１の色で前記潜像部の前記第一の側部に沿って配置されて前記第一の画像又は前記第二の画像の少なくとも一部を形成し、
前記第二の要素は、前記凸画線及び前記第１の色とは異なる少なくとも第２の色で、前記潜像部の前記第二の側部に沿って配置されて前記第二の画像又は前記第一の画像の少なくとも一部を形成し、
前記第一の画像と前記第二の画像が合成されることで前記第三の画像が形成され、
前記基材に対して斜めの観察角度の第一の観察角度又は第二の観察角度から観察すると、前記第１の色と前記第２の色が混色した前記輪郭部により前記潜像部と前記背景部が区分けされた前記第一の画像又は前記第二の画像が視認され、第三の観察角度から観察すると、前記潜像部、前記背景部及び前記輪郭部の前記第一の要素と前記第二の要素を各々形成している色が混色し、前記潜像部と前記背景部が区分けできない一様の模様の前記第三の画像が視認できることを特徴とする特殊潜像模様形成体。
【請求項２】
前記潜像部を構成する前記凸画線と、前記背景部を構成する前記凸画線は、同じ位相に配置され、
前記第一の要素が前記第一の側部に沿って配置されて前記第一の画像が形成され、
前記第二の要素が前記第二の側部に沿って配置されて前記第二の画像が形成されたことを特徴とする請求項１記載の特殊潜像模様形成体。
【請求項３】
前記第一の要素は、前記第１の色で形成され、前記第二の要素は、前記第１の色とは異なる第２の色で形成されたことを特徴とする請求項１又は２記載の特殊潜像模様形成体。
【請求項４】
前記第一の要素は、前記潜像部が前記第１の色で、前記背景部が前記第２の色で、それぞれの色の境界が前記輪郭部に配置され、
前記第二の要素は、前記潜像部が前記第２の色で、前記背景部が前記第１の色で、それぞれの色の境界が前記輪郭部に配置されたことを特徴とする請求項１又は２記載の特殊潜像模様形成体。
【請求項５】
前記凸状万線において、前記潜像部を構成する複数の前記凸画線と前記背景部を構成する複数の前記凸画線は、位相が１／２ピッチ異なって配置され、
前記第一の要素は、前記潜像部の前記第一の側部及び前記背景部の前記第二の側部に配置されて前記第一の画像の潜像部及び第二の画像の背景部を形成し、
前記第二の要素は、前記背景部の前記第一の側部及び前記潜像部の第二の側部に配置されて前記第二の画像の潜像部及び第一の画像の背景部を形成したことを特徴とする請求項１記載の特殊潜像模様形成体。
【請求項６】
前記第一の要素は、前記第１の色で形成され、前記第二の要素は、前記第１の色とは異なる第２の色で形成されたことを特徴とする請求項５記載の特殊潜像模様形成体。
【請求項７】
基材上における少なくとも一部に凸状万線が形成され、前記凸状万線に平行に配列された直線状の第一の要素及び第二の要素が複数配置されて第一の画像、第二の画像及び第三の画像が形成された特殊潜像模様形成体であって、
前記凸状万線は、前記凸状万線を構成する各々の凸画線が第一の側部、頂上部及び第二の側部を有して成り、かつ、前記凸画線の一部の位相が異なることで潜像部と背景部に区分けされ、前記潜像部の前記凸画線と前記背景部の前記凸画線が一部重なった重複領域を有し、
前記第一の要素は、前記凸画線とは異なる第１の色で少なくとも前記潜像部の前記第一の側部に沿って配置されて前記第一の画像又は前記第二の画像の一部を形成し、
前記第二の要素は、前記凸画線及び前記第１の色とは異なる第２の色で、少なくとも前記潜像部の前記第二の側部に沿って配置されて前記第二の画像又は前記第一の画像の一部を形成し、
前記重複領域に配置された前記第一の要素と前記第二の要素の各々の色が混色すること
で輪郭部が形成され、
前記第一の画像と前記第二の画像が合成されることで前記第三の画像が形成され、
前記基材に対して斜めの観察角度の第一の観察角度又は第二の観察角度から観察すると、前記第１の色と前記第２の色が混色した前記輪郭部により前記潜像部と前記背景部が区分けされた前記第一の画像又は前記第二の画像が視認され、第三の観察角度から観察すると、前記潜像部、前記背景部及び前記輪郭部の前記第一の要素と前記第二の要素を各々形成している色が混色し、前記潜像部と前記背景部が区分けできない一様の模様の前記第三の画像が視認できることを特徴とする特殊潜像模様形成体。
【請求項８】
前記重複領域は、前記潜像部を構成する前記凸画線と前記背景部を構成する前記凸画線の前記頂上部同士が連結するように形成され、
前記第一の要素は、前記潜像部の前記第一の側部及び前記背景部の前記第二の側部に配置されて前記第一の画像の潜像部及び第二の画像の背景部を形成し、
前記第二の要素は、前記背景部の前記第一の側部及び前記潜像部の第二の側部に配置されて前記第二の画像の潜像部及び第一の画像の背景部を形成したことを特徴とする請求項７記載の特殊潜像模様形成体。
【請求項９】
前記重複領域は、前記潜像部を構成する前記凸画線と前記背景部を構成する前記凸画線の各々の側部が隣接するように形成され、
前記第一の要素は、前記重複領域において前記潜像部の前記第一の側部及び前記背景部の前記第二の側部に跨るように配置されて前記第一の画像の潜像部及び第二の画像の背景部を形成し、
前記第二の要素は、前記重複領域において前記潜像部の前記第二の側部及び前記背景部の前記第一の側部に跨るように配置されて前記第二の画像の潜像部及び第一の画像の背景部を形成したことを特徴とする請求項７記載の特殊潜像模様形成体。
【請求項１０】
前記第一の要素は、前記第１の色で形成され、前記第二の要素は、前記第１の色とは異なる第２の色で形成されたことを特徴とする請求項８又は９記載の特殊潜像模様形成体。
【請求項１１】
前記第一の要素又は前記第二の要素は、画線、複数の点が直線状に配置された点群又は複数の画素が直線状に配置された画素群の少なくとも一つから成ることを特徴とする請求項１乃至１０のいずれか一項記載の特殊潜像模様形成体。
【請求項１２】
前記凸状万線、前記第一の要素及び前記第二の要素が規則的なピッチで配列されていることを特徴とする請求項１乃至１１に記載の特殊潜像模様形成体。
【発明の詳細な説明】
【技術分野】
【０００１】
本発明は、銀行券、旅券、有価証券、商品タグ、各種証明書等に偽造、複製の防止用として施す特殊潜像模様形成体に関するものである。
【背景技術】
【０００２】
銀行券、旅券、有価証券等の貴重印刷物は、その性質上、偽造や改竄されにくいことが要求される。この防止策として、貴重印刷物上に印刷により微細な画線や微小文字等を付与し、その有無により真偽判別を行う等の技術が公知である。しかしながら、近年、複写機の高機能化及び高画質化によって、以前は複製が難しかった微細な画線等が、複製及び再現された貴重印刷物の偽造製品が出回り、深刻な問題となっている。
【０００３】
このような技術的背景において、本出願人が先に出願した特許文献１及び特許文献２には、基材上に所定のピッチで凹凸形状を形成し、凹凸形状の位相を一部異ならせることでレリーフ模様を付与し、更に、その上に印刷万線模様を付与することにより潜像模様が形成された印刷物が開示されている。作製した印刷物は、正面から観察すると一定な間隔を持つ印刷万線模様が視認され、基材を傾けると、レリーフ模様と同じ単色の潜像模様が視認可能となる。
【０００４】
また、特許文献３には、基材上に所定のピッチで部分的に色が変化した二色印刷万線と、色変化の無い一色印刷万線とを隙間なく配置し、更に、印刷万線と同ピッチの背景エンボス領域と、背景エンボス領域とピッチを１／２ピッチ異ならせることで形成した潜像エンボス領域とを付与することにより潜像模様が形成された印刷物が開示されている。作製した印刷物は、正面から観察すると、二色印刷万線の部分的に色が変化した個所で形成された模様が視認され、基材を傾けることで、潜像エンボス領域により形成された潜像模様が視認可能となる。
【０００５】
さらに、本出願人が先に出願した特許文献４には、潜像模様を濃淡の階調を有するカラー画像として視認可能な印刷物が開示されている。基材上にカラー画像の色要素となる複数の色、例えば、イエロー、マゼンタ及びシアンの単色カラー印刷万線と、各々の印刷万線の色に対応した凹凸形状を形成し、各々凹凸形状を印刷万線と関連づけて、高さ、形状及び配置を変化させることで潜像模様を付与している。印刷物は、観察角度を変化することによって印刷万線が凹凸形状の影となり、部分的に欠けて見えることでカラー画像である潜像模様が視認可能となる。
【先行技術文献】
【特許文献】
【０００６】
【特許文献１】特許第２６０００９４号公報
【特許文献２】特許第２６１５４０１号公報
【特許文献３】特許第４３７７５３２号公報
【特許文献４】特許第４３０４３５６号公報
【発明の概要】
【発明が解決しようとする課題】
【０００７】
しかしながら、特許文献１及び特許文献２において開示された印刷物は、基材上に形成した凹凸形状の位相を一部異ならせることでレリーフ模様を付与している。そのため、位相を異ならせることが可能な程度に、凹凸形状のピッチを広めに設定する必要があり、緻密なレリーフ模様を表現することができない。また、正面から観察した際には印刷万線模様のみが視認され、潜像画像は隠蔽されているが、傾けることで、印刷万線模様が隠蔽され、潜像画像のみが出現する。そのため、より良い効果を有する印刷物、例えば観察条件を変えることで出現する画像が複数である印刷物が得られるよう、更に改善の余地がある。
【０００８】
また、特許文献３において開示された印刷物は、基材を傾けることで視認可能となる潜像模様を潜像エンボス領域により形成している。そのため、特許文献１と同様に、潜像エンボス領域を形成することが可能な程度に、凹凸形状のピッチを広めに設定する必要があり、緻密な潜像模様を表現することができない。さらに、印刷物は、基材上に所定のピッチで部分的に色が変化した二色の印刷万線と、色変化の無い一色の印刷万線とを隙間なく配置しており、仮に二本の万線を二色の印刷万線とした場合においては、正面から画像を視認する際や、傾けて潜像画像を視認する際に、双方の画像がノイズとなるため、特許文献２の効果を有する印刷物を得ることができない。
【０００９】
さらに、特許文献４において開示された印刷物は、各々凹凸形状を印刷万線と関連づけて、高さ、形状及び配置を変化させることで潜像模様を付与している。そのため、複雑な凹凸形状に対して、精密な位置関係で印刷万線を形成する必要があることから複製が極めて困難であり、従来の印刷物と比較して非常に偽造防止効果が高い。反面、更に簡易な作製方法で同様の効果を有する印刷物、つまり傾けることでカラー画像である潜像模様が得られるよう、更に改善の余地がある。
【００１０】
本発明は、以上の課題を解決することを目的とするものであり、具体的には、基材上に形成した凸状万線と印刷万線を用いて、従来よりも高い刷合せ精度を要さず、かつ、緻密な凹凸形状によって、傾けることで出現するカラー画像が、輪郭が強調されることにより明瞭に視認され、併せて視認可能な画像が三種類以上出現する印刷物を提供することにある。
【課題を解決するための手段】
【００１１】
本発明は、基材上における少なくとも一部に凸状万線が形成され、凸状万線に平行に配列された直線状の第一の要素及び第二の要素が複数配置されて第一の画像、第二の画像及び第三の画像が形成された特殊潜像模様形成体であって、凸状万線は、凸状万線を構成する各々の凸画線が第一の側部及び第二の側部を有して成り、かつ、凸画線が一部存在しない輪郭部により潜像部と背景部に区分けされ、第一の要素は、凸画線とは異なる少なくとも第１の色で潜像部の第一の側部に沿って配置されて第一の画像又は第二の画像の少なくとも一部を形成し、第二の要素は、凸画線及び第１の色とは異なる少なくとも第２の色で、潜像部の第二の側部に沿って配置されて第二の画像又は第一の画像の少なくとも一部を形成し、第一の画像と第二の画像が合成されることで第三の画像が形成され、基材に対して斜めの観察角度の第一の観察角度又は第二の観察角度から観察すると、第１の色と第２の色が混色した輪郭部により潜像部と背景部が区分けされた第一の画像又は第二の画像が視認され、第三の観察角度から観察すると、潜像部、背景部及び輪郭部の第一の要素と第二の要素を各々形成した色が混色し、潜像部と背景部が区分けできない一様の模様の第三の画像が視認できることを特徴とする特殊潜像模様形成体である。
【００１２】
また、本発明の特殊潜像模様形成体は、潜像部を構成する凸画線と、背景部を構成する凸画線は、同じ位相に配置され、第一の要素が第一の側部に沿って配置されて第一の画像が形成され、第二の要素が第二の側部に沿って配置されて第二の画像が形成されたことを特徴とする。
【００１３】
また、本発明の特殊潜像模様形成体における第一の要素は、潜像部が第１の色で、背景部が第２の色で、それぞれの色の境界が輪郭部に配置され、第二の要素が、潜像部が第２の色で、背景部が第１の色で、それぞれの色の境界が輪郭部に配置されたことを特徴とする。
【００１４】
また、本発明の特殊潜像模様形成体における凸状万線において、潜像部を構成する複数の凸画線と背景部を構成する複数の凸画線は、位相が１／２ピッチ異なって配置され、第一の要素は、潜像部の第一の側部及び背景部の第二の側部に配置されて第一の画像の潜像部及び第二の画像の背景部を形成し、第二の要素は、背景部の第一の側部及び潜像部の第二の側部に配置されて第二の画像の潜像部及び第一の画像の背景部を形成したことを特徴とする。
【００１５】
本発明は、基材上における少なくとも一部に凸状万線が形成され、凸状万線に平行に配列された直線状の第一の要素及び第二の要素が複数配置されて第一の画像、第二の画像及び第三の画像が形成された特殊潜像模様形成体であって、凸状万線は、凸状万線を構成する各々の凸画線が第一の側部、頂上部及び第二の側部を有して成り、かつ、凸画線の一部の位相が異なることで潜像部と背景部に区分けされ、潜像部の凸画線と背景部の凸画線が一部重なった重複領域を有し、第一の要素は、凸画線とは異なる第１の色で少なくとも潜像部の第一の側部に沿って配置されて第一の画像又は第二の画像の少なくとも一部を形成し、第二の要素は、凸画線及び第１の色とは異なる第２の色で、少なくとも潜像部の第二の側部に沿って配置されて第二の画像又は第一の画像の少なくとも一部を形成し、重複領域に配置された第一の要素と第二の要素の各々の色が混色することで輪郭部が形成され、第一の画像と第二の画像が合成されることで第三の画像が形成され、基材に対して斜めの観察角度の第一の観察角度又は第二の観察角度から観察すると、第１の色と第２の色が混色した輪郭部により潜像部と背景部が区分けされた第一の画像又は第二の画像が視認され、第三の観察角度から観察すると、潜像部、背景部及び輪郭部の第一の要素と第二の要素を形成した色が混色し、潜像部と背景部が区分けできない一様の模様の第三の画像が視認できることを特徴とする特殊潜像模様形成体である。
【００１６】
また、本発明の特殊潜像模様形成体における重複領域は、潜像部を構成する凸画線と背景部を構成する凸画線の頂上部同士が連結するように形成され、第一の要素は、潜像部の第一の側部及び背景部の第二の側部に配置されて第一の画像の潜像部及び第二の画像の背景部を形成し、第二の要素は、背景部の第一の側部及び潜像部の第二の側部に配置されて第二の画像の潜像部及び第一の画像の背景部を形成したことを特徴とする。
【００１７】
また、本発明の特殊潜像模様形成体における重複領域は、潜像部を構成する凸画線と背景部を構成する凸画線の各々の側部が隣接するように形成され、第一の要素は、重複領域において潜像部の第一の側部及び背景部の第二の側部に跨るように配置されて第一の画像の潜像部及び第二の画像の背景部を形成し、第二の要素は、重複領域において潜像部の第二の側部及び背景部の第一の側部に跨るように配置されて第二の画像の潜像部及び第一の画像の背景部を形成したことを特徴とする。
【００１８】
また、本発明の特殊潜像模様形成体における第一の要素は第１の色で形成され、第二の要素が第１の色とは異なる第２の色で形成されたことを特徴とする。
【００１９】
また、本発明の特殊潜像模様形成体における第一の要素又は第二の要素は、画線、複数の点が直線状に配置された点群又は複数の画素が直線状に配置された画素群の少なくとも一つから成ることを特徴とする。
【００２０】
また、本発明の特殊潜像模様形成体における凸状万線、第一の要素及び第二の要素が規則的なピッチで配列されていることを特徴とする。
【発明の効果】
【００２１】
本発明の特殊潜像模様形成体は、潜像画像を構成している凸画線を重複又は間隙を有する構成としたことで、出現する潜像画像の輪郭が色又は濃度が異なることにより明瞭に視認できる。
【００２２】
また、本発明の特殊潜像模様形成体は、基材に対して斜めに、例えば、上方から観察すると第一のカラー画像が観察でき、反対に、例えば、下方から観察すると、第二のカラー画像が観察でき、更に、正面から観察すると、第三のカラー画像が観察可能となる。
【００２３】
また、本発明の特殊潜像模様形成体は、輪郭を表現することにより潜像画像を明瞭に視認させることができるため、若干の凸状万線と印刷万線の刷り合わせがずれても、潜像画像の視認性が落ちることがない。
【図面の簡単な説明】
【００２４】
【図１】本発明の特殊潜像模様形成体（１）を示す平面図の一例。
【図２】本発明の特殊潜像模様形成体（１）を、可視光源下で観察した際の視点（Ｅ１、Ｅ２、Ｅ３）及び基材（２）の位置関係を示す図。
【図３】本発明の構成を模式的に示した平面図及び一部断面図。
【図４】本発明にかかわる凸状万線（１２）を示す図。
【図５】本発明にかかわる凸状万線（１２）の形状を説明する図。
【図６】本発明の第１実施形態を説明する図。
【図７】本発明にかかわる第一の要素（１６）及び第二の要素（１７）の例を示す図。
【図８】各観察角度からの視認状態を説明するための模式図。
【図９】本発明の第１実施形態の第１変形例を説明する図。
【図１０】本発明の第１実施形態の第２変形例における凸状万線（６）を説明する図。
【図１１】本発明の第１実施形態の第２変形例を説明する図。
【図１２】本発明の第２実施形態における凸状万線（６）を説明する図。
【図１３】本発明の第２実施形態を説明する図。
【図１４】本発明の第２実施形態の第１変形例における凸状万線（６）を説明する図。
【図１５】本発明の第２実施形態の第１変形例を説明する図。
【図１６】本発明にかかわる輪郭部の視認状態の一例を説明する図。
【発明を実施するための形態】
【００２５】
本発明の実施形態について図面を用いて説明する。しかしながら、本発明は、以下に述べる実施するための形態に限定されるものではなく、特許請求の範囲記載における技術的思想の範囲内であれば、その他色々な形態が実施可能である。
【００２６】
図１は、本発明における特殊潜像模様形成体（以下、「形成体」という。）（１）を示す平面図の一例である。図１（ａ）は、本発明の形成体が付与された偽造防止印刷物（Ｓ）の一例として、商品券を示す平面図である。偽造防止印刷物（Ｓ）は、紙、プラスチックカード等の基材（２）上に、店舗名、券種等が、シアン、マゼンタ、イエロー等の一般的に用いられるインキにより付与されている。偽造防止印刷物（Ｓ）には、少なくとも一部に形成体（１）が付与されている。形成体（１）は、詳細は後述するが、凸状万線（６）上にカラー画像として一般的に用いられるシアン（Ｃ）、マゼンタ（Ｍ）、イエロー（Ｙ）、ブラック（Ｂｋ）等の印刷万線（７）を配置することにより形成されている。
【００２７】
図１（ｂ）、図１（ｃ）及び図１（ｄ）は、偽造防止印刷物（Ｓ）に対して観察角度を変化させながら視認した際の形成体（１）における画像の拡大図である。図１（ａ）に示した形成体（１）には、図１（ｂ）に示す第一の画像（３）及び図１（ｃ）に示す第二の画像（４）と、更に、図１（ｄ）に示す、第一の画像（３）及び第二の画像（４）を合成した第三の画像（５）が形成されている。
【００２８】
図２は、本発明における形成体（１）が形成された基材（２）を、可視光源下で観察した際の視点（Ｅ１、Ｅ２、Ｅ３）及び基材（２）の位置関係を示す図である。なお、凸状万線（６）（図示せず）は、基材（２）表面上における第一の方向（Ｘ）と直交する方向に配置されている。
【００２９】
異なる画像を視認することが可能な観察角度とは、基材（２）に対して、下方、上方及び正面から観察した際の観察角度である。本発明においては、基材（２）に対して、視点が（Ｅ１）に示す位置関係にあるとき、第一の観察角度（Ｅ１）とし、視点が（Ｅ２）に示す位置関係にあるとき、第二の観察角度（Ｅ２）で観察したこととする。更に、視点が（Ｅ３）に示す位置関係にあるとき、第三の観察角度（Ｅ３）とする。
【００３０】
図１（ａ）に示した形成体（１）を基材（２）に対して第一の観察角度（Ｅ１）から観察すると、図１（ｂ）に示す第一の画像（３）が視認でき、また、第二の観察角度（Ｅ２）から観察すると図１（ｃ）に示す第二の画像（４）が視認可能である。更に、第三の観察角度（Ｅ３）から観察すると、図１（ｄ）に示す第一の画像（３）及び第二の画像（４）を合成した第三の画像（５）を視認することが可能である。
【００３１】
（第１実施形態）
本発明の形成体（１）の第１実施形態について以下説明する。本発明の形成体（１）は、図３に示すように、凸状万線（６）の上に前述したシアン（Ｃ）、マゼンタ（Ｍ）、イエロー（Ｙ）、ブラック（Ｂｋ）等の印刷万線（７）が印刷されている。この凸状万線（６）を構成している凸画線（８）の一方の斜面（以下、「第一の側部」という。）（９）に印刷万線（７）を構成している第一の要素（１６）が配置され、また、凸画線（８）のもう一方（以下、「他方」という。）の斜面（以下、「第二の側部」という。）（１０）に第二の要素（１７）が印刷されている。なお、印刷万線（７）についての詳細は、後述する。
【００３２】
まず、凸状万線（６）について以下説明する。図４（ａ）は、本発明における形成体（１）を構成する凸状万線（６）を示す図である。図４（ａ）に示すように、基材（２）上における少なくとも一部に、凸状万線（６）が形成されている。凸状万線（６）は、第一の方向（Ｘ）に第１のピッチ（ｄ）で凸画線（８）が複数配置されている。この凸画線（８）の画線幅については、ピッチとの関係により、２００〜８００μｍの範囲で形成する。凸状万線（６）における第１のピッチ（ｄ）とは、印刷方式、用いる基材（２）等を考慮して適宜設定されるものであるが、例えば、４００〜１０００μｍである。
【００３３】
凸状万線（６）は、印刷万線（７）が重なることで潜像画像の第一の画像（３）及び第二の画像（４）を出現させるものであるが、この潜像画像を構成する潜像部（１１）と、その背景となる背景部（１２）から構成されている。図４（ａ）に示すように、凸状万線（６）は、潜像部（１１）と背景部（１２）に所定の間隔を有する輪郭部（１３）を有し、この輪郭部（１３）により潜像部（１１）と背景部（１２）に区分けされている。したがって、凸状万線（６）を構成している複数の凸画線（８）は、輪郭部（１３）には形成されていない。
【００３４】
この輪郭部（１３）に該当する所定の間隔については、規則的に全てが同じ間隔の幅であってもよいが、必ずしも同じ間隔でなくても構わない。ただし、潜像画像を明瞭に出現させるためには、同じ間隔であることが好ましい。この所定の間隔の範囲については、２００〜１０００μｍ程度とする。凸画線（８）同士の間隔が２００μｍ以下では明瞭に輪郭が形成されず、また、１０００μｍ以上では、基材に対して真上からの第三の観察角度（Ｅ３）において観察した場合、凸画線（８）の間隔が視認されてしまい、違和感のある画像となってしまうためである。
【００３５】
凸状万線（６）は、基材（２）上に、凹版印刷、スクリーン印刷、エンボス、すき入れ、レーザ加工等により形成することができる。凹版印刷、スクリーン印刷等による凸状万線（６）の形成は、基材（２）に対して、所望の印刷方法に適した版面及びインキを用いて印刷を行い、インキの盛りにより凸形状を形成し、その凸形状を凸画線（８）とする。
【００３６】
エンボスによる凸状万線（６）の形成は、所望の凸状万線（６）の大きさに合わせた凹型及び凸型を用いて、基材（２）を凹型及び凸型で挟み込み圧力を加えることで、基材（２）上に凹形状（基材（２）に対して、凹ませる）又は凸形状（基材（２）に対して、突起させる）を形成し、その凹形状又は凸形状を凸状万線（６）とする。なお、凹形状においては、前述の通り、基材（２）の一部を凹ませることで凸状万線（６）を形成することとなるが、本発明においては、総称して凸状万線（６）と呼ぶ。
【００３７】
すき入れによる凸状万線（６）の形成は、基材（２）を紙とした際に、製造装置である抄紙機上における、ダンディロール部、円網部、プレスパート部等において、紙の原材料（紙料）を排除（凹部）又は増加（凸部）することで形成する。なお、凹部においては、前述の通り、紙料を排除することで凸状万線（６）を形成することとなるが、本発明においては、総称して凸状万線（６）と呼ぶ。
【００３８】
レーザ加工等により凸状万線（６）の形成は、基材（２）の一部を、所望のレーザ加工装置を用いて、レーザ照射により基材の一部を除去することにより形成する。つまり、基材（２）の一部に凹部を形成することで凸状万線（６）を形成することとなるが、本発明においては、作製方法に関わらず、総称して凸状万線（６）と呼ぶ。
【００３９】
凸状万線（６）を印刷により基材（２）に形成する場合において、透明インキを用いることは好ましくない。透明インキを用いると、後述するが、凸画線（８）により各々の要素を遮蔽することで潜像画像が出現するという効果は生じなくなる。しかしながら、顔料、染料等が混入された有色透明インキについては、各々の要素を遮蔽する効果が生じるものもあることから、このような有色透明インキについては、本発明において適宜選択することができるものとする。
【００４０】
なお、図４（ａ）において、第三の観察角度（Ｅ３）から視認した場合の凸状万線（６）の形状は、直線状の直万線としているが、波線状の波万線とすることも可能である。
【００４１】
図４（ｂ）は、本発明における図４（ａ）に示した基材（２）を、Ａ−Ａ’部分で第一の方向（Ｘ）に切断した断面図である。図４（ｂ）に示すように、基材（２）における底部（１５）から、垂直する方向に高さを有する凸画線（８）を形成する。第１の方向（Ｘ）に第１のピッチ（ｄ）で複数配置された凸画線（８）は、各々が第一の側部（９）、第二の側部（１０）及び頂上部（１４）を有している。第一の側部（９）及び第二の側部（１０）は、第１の方向（Ｘ）と垂直する方向に対して、頂上部（１４）を中心に対となるように対応した関係である。
【００４２】
前述した第一の観察角度（Ｅ１）から観察した場合、凸画線（８）における第一の側部（９）は、隣り合う凸画線（８）の影となることなく観察可能である。一方、第二の側部（１０）は、隣り合う凸画線（８）の影となり、視認することができない。また、第二の観察角度（Ｅ２）から観察した場合、凸画線（８）における第二の側部（１０）は、隣り合う凸画線（８）の影となることなく観察可能である。一方、第一の側部（９）は、隣り合う凸画線（８）の影となり、視認することができない。さらに、第三の観察角度（Ｅ３）から観察した場合、凸画線（８）における第一の側部（９）及び第二の側部（１０）は、隣り合う凸画線（８）の影となることなく観察可能である。
【００４３】
図５は、本発明における凸画線（８）の形状を示す断面図である。凸画線（８）の断面形状は、図４（ｂ）において示した台形状に限定されず、図５に示した各種の形状とすることが可能である。例えば、図５（ａ）に示すように、凸画線（８）の断面形状は、図４（ｂ）と同一形状だが、それぞれの凸画線（８）のピッチである第１のピッチ（ｄ）を狭くしても良い。なお、第１のピッチ（ｄ）を狭くすることで、図５（ａ）及び後述する図５（ｃ）に示すように、基材（２）から凸画線（８）が隆起する際の底部（１５）を、面状ではなく点状とすることも可能である。
【００４４】
また、図５（ｂ）に示すように、非対称形状や、図５（ｃ）、図５（ｄ）及び図５（ｅ）に示すように、凸画線（８）における頂上部（１４）を、面状ではなく点状とすることも可能であり、更には、図５（ｆ）及び図５（ｇ）に示すように、半円状としても良い。半円状とした場合の第一の側部（９）及び第二の側部（１０）は、頂上部（１４）を中心として、一方を第一の側部（９）とし、他方を第二の側部（１０）とする。
【００４５】
更には、図５（ｉ）に示すように、凸画線（８）の形状は、一つ一つを異なる形状とすることも可能であり、また、図５（ｊ）に示すように、隣り合う一つの凸画線（８）同士のピッチが一定でない構成とすることも可能である。その場合において、一つ一つのピッチは、４００〜１０００μｍの範囲内とする。なお、ピッチを４００〜１０００μｍの範囲内とする点については、後述する。
【００４６】
次に、凸状万線（６）の上に印刷する印刷万線（７）について具体的に説明する。図６（ａ）は、前述した凸画線（８）の上に第一の要素（１６）と第二の要素（１７）が印刷されたものであり、図６（ｂ）は、その一部を拡大した図、図６（ｃ）は図６（ａ）のＡ−Ａ’断面図、図６（ｄ）は、図６（ａ）のＢ−Ｂ’断面図である。
【００４７】
第一の要素（１６）は、凸画線（８）とは異なる第１の色で形成し、第二の要素（１７）は、凸画線（８）及び第一の要素（１６）の第１の色とは異なる第２の色で形成する。同じ色では、観察角度を変化させても所望する潜像画像を出現させることができない。
【００４８】
この印刷万線（７）は、凸画線（８）に平行に直線状に配列されており、第一の要素（１６）は潜像部（１１）の第一の側部（９）に沿って配置されている。本発明において「第一の要素（１６）が潜像部（１１）の第一の側部（９）に沿って配置される」とは、その第一の要素（１６）が第一の側部（９）に配置されているのはもちろんのこと、その延長線上まで直線状に配置されていることを言う。したがって、本実施形態１では、第一の要素（１６）は、潜像部（１１）の第一の側部（９）とその延長線上の輪郭部（１３）、更には背景部（１２）の第一の側部（９）にも配置されているものである。同様に、第二の要素（１７）は、潜像部（１１）の第二の側部（１０）に沿って配置されている。
【００４９】
第一の要素（１６）及び第二の要素（１７）は、シアン（Ｃ）、マゼンタ（Ｍ）、イエロー（Ｙ）、ブラック（Ｂｋ）等、一般的な公知の印刷材料を用いて、オフセット印刷方式、ＩＪＰ方式等、公知の印刷方式を用いて印刷する。ただし、凸画線（８）の斜面に印刷することから、凹版印刷方式のように、強圧を用いてそれぞれの要素を印刷すると、凸形状が崩れてしまうため、好ましく無い。
【００５０】
印刷万線（７）の画線幅については、凸画線（８）の側部から底部にかけて配置することが望ましい。そのため凸部の高さにもよるが、本発明では、画線幅を６０μｍ以上とした。また、６０μｍ未満では、印刷万線（７）を印刷することは難しい。適正な画線幅は、凸画線（８）の高さ(測部の長さ)、ピッチ（ｄ）によって決定され、例えば、凸画線（８）のピッチが５００μｍの場合、画線幅が２５０μｍ以上では、第一の要素（１６）及び第二の要素（１７）が重畳してしまうことになる。したがって、刷合せ精度を考慮すると第一の要素（１６）及び第二の要素（１７）の間隙を１００μｍとすると、印刷万線（７）の画線幅は、１５０μｍとなる。
【００５１】
図６（ａ）は、形成体（１）を第三の観察角度（Ｅ３）から観察した図である。図面上では、第一の要素（１６）及び第二の要素（１７）が区分けして視認されているが、実際の印刷物については、それぞれの要素のピッチは凸画線（８）と同じ４００〜１０００μｍのため、第一の要素（１６）の色と第二の要素（１７）の色が混色して観察される。
【００５２】
図６（ｃ）は、図６（ａ）におけるＡ−Ａ’の断面図であり、図６（ｄ）は、図６（ａ）におけるＢ−Ｂ’の断面図である。それぞれの図に示すように、凸画線（８）が存在している箇所については、凸画線（８）の第一の側部（９）に第一の要素（１６）が印刷され、凸画線（８）の第二の側部（１０）に第二の要素（１７）が印刷されている。
【００５３】
ただし、本発明の特徴点でもある凸画線（８）が形成されていない輪郭部（１３）に該当する箇所については、図６（ｄ）に示すように、第一の要素（１６）も第二の要素（１７）も底部（１５）に形成されることとなる。この輪郭部（１３）によって、第一の画像（３）も第二の画像（４）も潜像部（１１）と背景部（１２）に区分けされることとなる。
【００５４】
本発明において要素とは、画線や、複数の網点が同一方向（以下、「直線状」という。）に配置された網点群又は複数の画素が直線状に配置された画素群のことである。図７は、本発明における画線の一例を示す図である。画線とは、例えば、図７（ａ）に示す直線、図７（ｂ）に示す破線、図７（ｃ）に示す波線、図７（ｄ）に示す破線状の波線である。画線幅は、一般的に６０〜２００μｍが用いられる。網点とは、網目スクリーン、コンタクトスクリーン等により、印刷物上に構成された点である。網点及び後述する画素は、直線状又は波線状に複数配置されて、網点群又は画素群を形成する。網点群又は画線群となることで、画線状に構成される。網点形状は、円形ドットに限定されるものではなく、ランダムドットや本出願人が先に出願した特開平１１−２６８２２８号公報で提案している特殊網点生成法を用いて意匠性を加味した入力画像を網点（ハーフトーンスクリーン）から成る連続階調網点に変換した自由度のある特殊網点形状を用いても良い。
【００５５】
また、画素形状としては、例えば、図７（ｅ）に示すような円形状、図示していないが楕円形状、図７（ｆ）に示す長方形等の四角形状、図７（ｇ）に示す三角形状等の多角形状としてもよい。
【００５６】
また、図７（ｇ）に示すように、角度を回転させて配列しても良い。また、図７（ｈ）に示すように文字形状としてもよい。その際には、偽造防止効果を高めるために図７（ｈ）のように、文字書体を異ならせて配列しても良い。図７（ｈ）に示した文字形状は、一般的に微小文字又は特殊網点と呼ばれるが、本発明においては画素とする。更に、図７（ｉ）及び図７（ｊ）に示すように、一つの画素内において、画線、網点などの少なくとも二種類以上を組み合わせて直線状に配置しても良い。なお、以降の実施形態については画素を直線として説明する。
【００５７】
以上のように、凸画線（８）が複数配列された凸状万線（６）の上にそれぞれ色が異なる第一の要素（１６）と第二の要素（１７）から成る印刷万線（７）を形成した本発明の形成体（１）における各画像の視認原理について、図８を用いて説明する。
【００５８】
本発明の形成体（１）を、第一の観察角度（Ｅ１）から観察した場合は、凸画線（８）の第一の側部（９）に印刷された第一の要素（１６）は凸画線（８）に遮蔽され、第二の要素（１７）を観察することになる。ただし、輪郭部（１３）については、凸画線（８）が存在していないため、第一の要素（１６）及び第二の要素（１７）はいずれも凸画線（８）に遮断されることがなく、第一の要素（１６）の第１の色と第二の要素（１７）の第２の色が混色した色で視認される。したがって、第二の要素（１７）で形成された第２の色の第二の画像（４）が、潜像部（１１）（第二の画像（４）において視認できる潜像部（１１）を、以下「第二の潜像部（１１ｂ）」という。）の輪郭が第１の色と第２の色の混色した状態で視認できるため、第二の潜像部（１１ｂ）と背景部（第二の画像（４）において視認できる背景部（１２）を、以下「第二の背景部（１２ｂ）」という。）が明瞭に区分けされた第二の画像（４）を視認することができる。
【００５９】
また、第二の観察角度（Ｅ２）から観察した場合は、凸画線（８）の第二の側部（１０）に印刷された第二の要素（１７）は、凸画線（８）に遮蔽され、第一の要素（１６）を観察することになる。ただし、輪郭部（１３）については、凸画線（８）が存在していないため、第一の要素（１６）及び第二の要素（１７）はいずれも凸画線（８）に遮断されることがなく、第一の要素（１６）の第１の色と第二の要素（１７）の第２の色が混色した色で視認される。したがって、第一の要素（１６）で形成された第１の色の第一の画像（３）が、潜像部（１１）（第一の画像（３）において視認できる潜像部（１１）を、以下「第一の潜像部（１１ａ）」という。）の輪郭が第１の色と第２の色の混色した状態で視認できるため、第一の潜像部（１１ａ）と背景部（第一の画像（３）において視認できる背景部（１２）を、（以下，「第二の背景部（１２ａ）」という。）が明瞭に区分けされた第一の画像（３）を視認することができる。
【００６０】
前述したように、輪郭部（１３）には凸画線（８）が形成されていないので、第一の観察角度（Ｅ１）、第二の観察角度（Ｅ２）及び第三の観察角度（Ｅ３）のいずれから観察しても第一の要素（１６）の色及び第二の要素（１７）の色の混色として観察されることとなる。
【００６１】
（第１実施形態の第１変形例）
本発明における形成体（１）の第１の変形例について以下説明するが、前述した第１実施形態と同じ構成については、省略する。第１実施形態では、第一の要素（１６）は、第１の色のみで形成されており、第二の要素（１７）は、第２の色のみで形成されていたが、第１の変形例では、第一の要素（１６）が第１の色と第２の色で形成され、第二の要素（１７）も第１の色と第２の色で形成されているものである。
【００６２】
第１の変形例における凸状万線（６）については、前述した第１実施形態と同様のため、説明については省略する。
【００６３】
図９（ａ）は第１変形例における形成体（１）を第三の観察角度（Ｅ３）から見た際の模式図であり、図９（ｂ）は、その一部を拡大した図である。更に、図９（ｃ）〜（ｅ）は、図９のＡ−Ａ’、Ｂ−Ｂ’及びＣ−Ｃ’における断面図である。
【００６４】
図９（ｂ）に示すように、第一の要素（１６）が部分的に第１の色と第２の色に区分けされ、同様に第二の要素（１７）も部分的に第２の色と第１の色に区分けされている。なお、第１変形例では、一つの要素が２色から形成されているため、同じ一つの要素、例えば第一の要素（１６）でも、第一の潜像部（１１ａ）と第一の背景部（１２ａ）では、図９（ｃ）と図９（ｅ）に示すように異なった色となっている。
【００６５】
まず、第一の画像（３）を形成する第一の要素（１６）について説明する。図９（ｅ）において、第一の潜像部（１１ａ）を形成する第一の要素（１６）は、第１の色により第一の側部（９）に配置されている。なお、本第１実施形態の第１変形例でも、第一の要素（１６）は第一の側部（９）に沿って直線状に配置されているが、前述のとおり、第一の要素（１６）は２色から構成されているため、図９（ｃ）に示す第一の背景部（１２ａ）においては、第一の側部（９）には、第２の色の第一の要素（１６）が配置されているものである。したがって、第１の色と第２の色の境界は、図９（ｄ）に示す輪郭部（１３）に配置されることとなる。輪郭部（１３）は、凸画線（８）が存在していないため、第一の要素（１６）も第二の要素（１７）も凸画線（８）により遮蔽されることはないため、常にどの観察角度からでも混色した色として視認される。
【００６６】
例えば、第１の色が青色で第２の色が赤色の場合、第一の観察角度（Ｅ１）から形成体（１）を観察すると、第一の画像（３）の第一の潜像部（１１ａ）が第１の色の青色で形成され、第一の画像（３）の第一の背景部（１２ａ）が赤色で形成されるため、第一の要素（１６）が視認できる第一の観察角度（Ｅ１）から形成体（１）を観察すると、青色の第一の潜像部（１１ａ）の輪郭が第１の色の青色と第２の色の赤色が混色した緑色で、その背景が赤色となって視認することができ、輪郭が模様と背景とも異なる色で縁取られたように明瞭に第一の潜像部（１１ａ）と第一の背景部（１２ａ）を区分けして認識することができる。
【００６７】
同様に、第二の要素（１７）について説明する。図９（ｅ）において、第二の潜像部（１１ｂ）を形成する第二の要素（１７）は、第二の側部（１０）に、第２の色で第二の側部（１０）に沿って直線状に配置されており、図９（ｃ）に示す第二の背景部（１２ｂ）においては、第二の側部（１０）に第１の色で配置され、第２の色と第１の色の境界は、輪郭部（１３）に配置されている。このとき、第二の要素（１７）における第２の色と第１の色は、第一の要素（１６）における第１の色と第２の色の配置されている部とは対応した関係となって配置されている。
【００６８】
本第１実施形態の第１変形例における第１の色と第２の色が対応した関係とは、前述したように、第一の要素（１６）について第一の潜像部（１１ａ）の第一の側部（９）に第１の色が配置され、第一の背景部（１２ａ）の第一の側部（９）に第２の色が配置されているときに、第二の要素（１７）については、逆に、第二の潜像部（１１ｂ）の第二の側部（１０）には第２の色が配置され、第二の背景部（１２ｂ）の第二の側部（１０）には第１の色が配置されていることである。このように、同じ潜像部（１１）又は背景部（１２）でも、第一の側部（９）と第二の側部（１０）とで、２色の色を互いに異なる色として配置した関係を、対応した関係で配置すると言う。
【００６９】
例えば、第１の色が青色で第２の色が赤色の場合、第二の観察角度（Ｅ２）から形成体（１）を観察すると、第二の画像（４）の第二の潜像部（１１ｂ）が第２の色の赤色で形成され、第二の画像（４）の第二の背景部（１２ｂ）が青色で形成されるため、第二の要素（１７）が視認できる第二の観察角度（Ｅ２）から形成体（１）を観察すると、赤色の第二の潜像部（１１ｂ）の輪郭が第１の色の青色と第２の色の赤色が混色した緑色で、その背景が青色となって視認することができ、輪郭が模様と背景とも異なる色で縁取られたように明瞭に第二の潜像部（１１ｂ）と第二の背景部（１２ｂ）を区分けして認識することができる。
【００７０】
（第１実施形態の第２変形例）
次に、本発明における形成体（１）の第２変形例について図１０を用いて説明するが、前述した第１実施形態及び第１変形例と同じ構成については省略する。第２変形例では、異なる構成として、凸状万線（６）において、図１０（ａ）及びそのＡ−Ａ’断面図、Ｂ−Ｂ’断面図に示すように、凸画線（８）の一部の位相が異なって配置されているものである。位相が異なる箇所は、輪郭部（１３）を境として異なっている。
【００７１】
第２変形例は、図１０（ｂ）及び図１０（ｃ）に示すように、凸状万線（６）のピッチ及び画線幅については、潜像部（１１）も背景部（１２）も同じであるが、潜像部（１１）を構成している凸画線（８）と背景部（１２）を構成している凸画線（８）は、略１／２ピッチ位相が異なっている。
【００７２】
凸状万線（６）の上に配置される第一の要素（１６）と第二の要素（１７）は、第１実施形態及び第１変形例と同様、それぞれ直線状であり、第一の要素（１６）は潜像部（１１）の第二の側部（１０）に配置され、その延長線上の輪郭部（１３）及び背景部（１２）にも配置されている。ただし、第２変形例では、前述のとおり、潜像部（１１）と背景部（１２）を構成している凸画線（８）は、位相が略１／２ピッチが異なっているため、図１１（ａ）の模式図及びそのＡ−Ａ’断面図並びにＢ−Ｂ’断面図に示すように、背景部（１２）においては、凸画線（８）の第一の側部（９）に第一の要素（１６）が配置されることとなる。
【００７３】
同様に、第二の要素（１７）は、潜像部（１１）の第一の側部（９）に配置されているが、背景部（１２）では、凸画線（８）の第二の側部（１０）に配置されることとなる。
【００７４】
なお、凸画線（８）の形成されていない輪郭部（１３）は図１１（ａ）のＣ−Ｃ’断面図にあたる図１１（ｄ）に示すように、前述した第１実施形態及び第１変形例と同様、底部（１５）に二つの要素（１６、１７）が形成されている。
【００７５】
具体的な例として、例えば、潜像部（１１）を形成する凸画線（８）においては、第一の要素（１６）を赤色の第１の色で形成し、第二の要素（１７）を青色の第２の色で形成した場合、第一の観察角度（Ｅ１）から形成体（１）を観察すると、第一の背景部（１２ａ）が、第一の側部（９）に配置されている赤色の第一の要素（１６）から成り、凸画線（８）が存在しない輪郭部（１３）は、第１の色の赤色と第２の色の青色が混色して視認でき、第一の潜像部（１１ａ）は、第一の側部（９）に配置されている青色の第二の要素（１７）から成る。
【００７６】
また、第二の観察角度（Ｅ２）から形成体（１）を観察すると、第二の背景部（１２ｂ）が、第二の側部（１０）に配置されている青色の第二の要素（１７）から成り、凸画線（８）が存在しない輪郭部（１３）は、第１の色の赤色と第２の色の青色が混色して視認でき、第二の潜像部（１１ｂ）は、第二の側部（１０）に配置されている赤色の第一の要素（１６）から成る。
【００７７】
したがって、この場合の第２の変形例では、第一の観察角度（Ｅ１）から視認できる第一の画像（３）は、第一の潜像部（１１ａ）が青色で、その輪郭が赤色と青色の混色で縁取りがされたように視認され、その背景となる第一の背景部（１２ａ）が赤色で視認できる。また、第二の観察角度（Ｅ２）から視認できる第二の画像（４）は、第二の潜像部（１１ｂ）が赤色で、その輪郭が赤色と青色の混色で縁取りがされたように視認され、その背景となる第二の背景部（１２ｂ）が青色で視認できる。
【００７８】
（第２実施形態）
次に、本発明における形成体（１）の第２実施形態について以下説明するが、前述した第１実施形態、第１変形例及び第２変形例と同様の構成については説明を省略する。
【００７９】
第２実施形態は、凸状万線（６）を構成している凸画線（８）の一部が重複している構成である。以下、第２実施形態について説明する。
【００８０】
図１２は、第２実施形態を説明するための模式図である。図１２（ａ）に点線囲みにて示すように、潜像部（１１）を構成する凸画線（８）と背景部（１２）を構成する凸画線（８）の一部が重複した領域（１８）（以下、「重複領域」という。）を有している。本第２実施形態では、この重複領域（１８）が、本発明の特徴点である輪郭部（１３）となる。
【００８１】
前述した第１実施形態における第２の変形例では、潜像部（１１）を構成している凸画線（８）と背景部（１２）を構成している凸画線（８）が略１／２ピッチ位相が異なっていたが、本第２実施形態でも、略１／２ピッチ位相が異なっていることとなる。したがって、潜像部（１１）を構成する凸画線（８）と背景部（１２）を構成する凸画線（８）は、輪郭部（１３）において図１２（ａ）に示すように接している。
【００８２】
この重複領域（１８）について、図１２（ｂ）、図１２（ｃ）及び図１２（ｄ）の断面図を用いて更に詳細に説明する。図１２（ｂ）及び図１２（ｄ）に示すように、背景部（１２）のみの凸画線（８）と潜像部（１１）のみの凸画線（８）は、前述までと同様、各凸画線（８）に二つの側部を有している。しかし、図１２（ｃ）に示す重複領域（１８）は、潜像部（１１）を構成する凸画線（８）と背景部（１２）を構成する凸画線（１２）の頂上部（１４）が連結した状態であるため、それぞれの凸画線（８）自体には側部を有しておらず、重複領域（１８）の一方の端の凸画線（８）に第一の側部（９）を有し、他方の端の凸画線（８）に第二の側部（１０）を有し、その間に存在する重複領域（１８）は、底部（１５）を有しておらず、頂上部（１４）のみの構成となっている。
【００８３】
この重複領域（１８）について、凸画線（８）の長手方向に対する範囲は、２００〜１０００μｍの範囲で形成する。２００μｍ以下の範囲では明瞭な輪郭が形成されず、また、１０００μｍ以上では、基材に対して真上からの第三の観察角度（Ｅ３）において観察した場合、凸画線（８）の間隔が視認されてしまい、違和感のある画像となってしまうため
好ましくない。
【００８４】
図１３のように、潜像部（１１）を構成する凸画線（８）と背景部（１２）を構成する凸画線（８）を、重複領域（１８）を有するように形成した凸状万線（６）の上に、第１実施形態と同様、印刷万線（７）を形成する。
【００８５】
本第２実施形態でも、第一の要素（１６）は、図１３（ａ）、（ｂ）及び（ｄ）に示すように、潜像部（１１）の第二の側部（１０）に沿って直線状に配置されている。ただし、潜像部（１１）を構成している凸画線（８）と背景部（１２）を構成している凸画線（８）は、位相が略１／２ピッチ異なっているため、延長線上の背景部（１２）については、第一の側部（９）に配置されている。
【００８６】
同様に、第二の要素（１７）は、潜像部（１１）の第一の側部（９）に沿って配置されており、その延長線上の背景部（１２）については、第二の側部（１０）に配置されている。
【００８７】
前述した第１実施形態の全ての形態では、輪郭部（１３）は凸画線（１３）が存在しない部であったことから、第一の要素（１６）及び第二の要素（１７）は、輪郭部（１３）においては、底部（１５）に配置されていたが、本第２実施形態では、重複領域（１８）における凸画線（８）上では、図１３（ｃ）に示すように、頂上部（１４）に配置されることとなる。重複領域（１８）における頂上部（１４）に第一の要素（１６）及び第二の要素（１７）が配置されることで、どの観察角度から観察しても、第一の要素（１６）の色と第二の要素（１７）の色が混色した状態の輪郭部（１３）となって視認できることとなる。
【００８８】
以上の構成のように、凸状万線（６）及び印刷万線（７）を配置することで、形成体（１）を第一の観察角度（Ｅ１）から観察すると、潜像部（１１）の第一の側部（９）に配置されている第二の要素（１７）が第２の色で視認され、背景部（１２）の第二の側部（１０）に配置されている第二の要素（１７）は、背景部（１２）を構成する凸画線（８）に遮蔽されて視認できない。
【００８９】
逆に、潜像部（１１）の第二の側部（１０）に配置されている第一の要素（１６）は、潜像部（１１）を構成する凸画線（８）に遮蔽されて視認できず、背景部（１２）の第一の側部（９）に配置されている第一の要素（１６）が第１の色で視認できる。
【００９０】
更に、重複領域（１８）については、頂上部（１４）に形成されているため、何も遮蔽されないため、第一の要素（１６）の第１の色と第二の要素（１７）の第２の色の混色となった輪郭部（１３）として視認される。
【００９１】
したがって、形成体（１）を第一の観察角度（Ｅ１）から観察すると、第１の色の潜像部（１１）と第１の色と第２の色の混色した輪郭部（１３）及び第２の色の背景部（１２）から成る第一の画像（３）が視認できるものである。
【００９２】
逆に、第二の観察角度（Ｅ２）から形成体（１）を観察すると、輪郭部（１３）は第一の画像（３）と同様、第１の色と第２の色の混色で視認され、潜像部（１１）は第１の色で、背景部（１２）は第２の色の第二の画像（４）が視認できる。
【００９３】
第三の観察角度（Ｅ３）から形成体（１）を視認すると、第一の要素（１６）の第１の色と第二の要素（１７）の第２の色が混色した一様の模様の第三の画像（５）が視認される。
【００９４】
（第２実施形態の第１変形例）
次に、本発明における形成体（１）の第２実施形態の第１変形例について以下説明するが、前述した第１実施形態、第１変形例、第２変形例及び第２実施形態と同様の構成については説明を省略する。
【００９５】
第２実施形態の第１の変形例については、第２実施形態と同様、凸状万線（６）に重複領域（１８）を有している。ただし、重複領域（１８）を構成する凸画線（８）同士は連結しておらず、隣接している。
【００９６】
第２実施形態の第１の変形例を、図１４を用いて以下説明する。
【００９７】
図１４（ａ）に示すように、潜像部（１１）を構成する凸画線（８）と背景部（１２）を構成する凸画線（８）は、重複領域（１８）を有している。本第１の変形例における重複領域（１８）は、図１４（ａ）の重複領域（１８）を示す点線囲いのＢ−Ｂ’断面図である。図１４（ｂ）に示すように、各々の凸画線（８）に第一の側部（９）及び第二の側部（１０）を備えている。併せて、底部（１５）が各凸画線（８）同士の間に存在する。この底部（１５）については、図１４（ｃ）に示すような面でも良いが、第一の側部（９）と第二の側部（１０）が点で接しているものでも良い。ただし、どちらの場合でも、後述するように、印刷万線（７）が両側部に跨るように配置可能な幅の範囲でなければならない。
【００９８】
この重複領域（１８）の凸画線（８）の長手方向における範囲は、前述の第２実施形態と同様、２００〜１０００μｍの範囲で形成する。２００μｍ以下の範囲では明瞭な輪郭が形成されず、また、１０００μｍ以上では、基材に対して真上からの第三の観察角度（Ｅ３）において観察した場合、凸画線（８）の間隔が視認されてしまい、違和感のある画像となってしまうため好ましくない。
【００９９】
重複領域（１８）における潜像部（１１）の凸画線（８）と背景部（１２）の凸画線の底部（１５）の幅については、その上に配置する各要素（１６、１７）が両側部（９、１０）に跨るように配置できなければならないため、各要素（１６，１７）の画線幅以上の範囲となる。具体的には、４００〜７００μｍとなる。
【０１００】
第２実施形態の第１の変形例では、凸状万線（６）のピッチは、前述した全ての形態と同様４００〜１０００μｍの範囲内であれば良いが、重複領域（１８）を構成する潜像部（１１）の凸画線（８）と背景部（１１）を構成する凸画線（８）にそれぞれ側部を有する構成のため、ピッチが前述した第２実施形態よりも広く形成される。
【０１０１】
図１５のように、潜像部（１１）を構成する凸画線（８）と背景部（１２）を構成する凸画線（８）を、重複領域（１８）を有するように形成した凸状万線（６）の上に印刷万線（７）を形成する。印刷万線（７）のピッチについても、凸状万線（６）同様４００〜１０００μｍの範囲内であれば良いが、凸状万線（６）のピッチが他の実施形態よりも広くなっていることに対応し、印刷万線（７）のピッチも広くなっている。
【０１０２】
印刷万線（７）の配置については、直線状の第一の要素（１６）を、潜像部（１１）を構成する凸画線（８）の第一の側部（９）と、背景部（１２）を構成する凸画線（８）の第二の側部（１０）の両方に跨るように配置し、第二の要素（１７）を、潜像部（１１）を構成する凸画線（８）の第二の側部（９）と、背景部（１２）を構成する凸画線（８）の第一の側部（９）の両方に跨るように配置する。
【０１０３】
具体的には、図１５（ｂ）又は（ｄ）の断面図に示すように、背景部（１２）又は潜像部（１１）を構成する凸画線（８）に対しては、各々の凸画線（８）に対して各要素（１６、１７）を側部（９、１０）と底部（１５）に跨るように配置し、図１５（ｃ）に示すように、重複領域（１８）の輪郭部（１３）を構成する凸画線（８）に対しては、潜像部（１１）と背景部（１２）の両方の側部（９、１０）に跨るように配置する。
【０１０４】
なお、図１４（ａ）及び（ｃ）では、重複領域（１８）の凸画線（８）同士の間に底部（１５）を有するように図示しているが、前述のとおり、底部（１５）が面ではなく、点であっても良い。配置する印刷万線（７）の画線幅次第によるところであるが、底部（１５）が点の場合には、比較的画線幅の狭い印刷万線（７）を配置することが可能であり、底部（１５）が面の場合には、比較的画線幅の広い印刷万線（７）を配置しなければ、両方の凸画線（８）の側部（９、１０）に配置することができず、第一の観察角度（Ｅ１）及び第２の観察角度（Ｅ２）から第一の画像（３）及び第二の画像（４）を視認することができなくなってしまう。
【０１０５】
以上の構成のように、凸状万線（６）及び印刷万線（７）を配置することで、形成体（１）を第一の観察角度（Ｅ１）から観察すると、潜像部（１１）の第一の側部（９）に配置されている第一の要素（１６）が第１の色で視認され、背景部（１２）の第二の側部（１０）に配置されている第一の要素（１６）は、背景部（１２）を構成する凸画線（８）に遮蔽されて視認できない。
【０１０６】
逆に、潜像部（１１）の第二の側部（１０）に配置されている第二の要素（１７）は、潜像部（１１）を構成する凸画線（８）に遮蔽されて視認できず、背景部（１２）の第一の側部（９）に配置されている第二の要素（１７）が第２の色で視認できる。
【０１０７】
更に重複領域（１８）については、第一の要素（１６）は背景部（１２）を構成する凸画線（８）に遮蔽されて視認できず、併せて、第二の要素（１７）は潜像部（１１）を構成する凸画線（８）に遮蔽されて視認できない。したがって、重複領域（１８）は、印刷万線（７）は何も視認できない。この印刷万線（７）が何も視認できず、基材（２）の色として視認できるのが、本第２実施形態の第１の変形例における輪郭部（１３）である。
【０１０８】
したがって、形成体（１）を第一の観察角度（Ｅ１）から観察すると、第１の色の潜像部（１１）と基材（２）の色の輪郭部（１３）及び第２の色の背景部（１２）から成る第一の画像（３）が視認できるものである。
【０１０９】
逆に、第二の観察角度（Ｅ２）から形成体（１）を観察すると、輪郭部（１３）は第一の画像（３）と同様、基材（２）の色で視認され、潜像部（１１）は第２の色で、背景部（１２）は第１の色の第二の画像が視認できる。
【０１１０】
第三の観察角度（Ｅ３）から形成体（１）を視認すると、第一の要素（１６）の第１の色と第二の要素（１７）の第２の色が混色した一様の模様の第三の画像（５）が視認される。
【０１１１】
なお、本第２実施形態の第１の変形例では、印刷万線（７）のピッチが前述した他の実施形態よりも広くなっているため、基材（２）の露出面積が大きくなることから、第一の観察角度（Ｅ１）及び第二の観察角度（Ｅ２）から観察した場合、他の実施形態よりも淡い色として第一の画像（３）又は第二の画像（４）が視認されることとなる。
【０１１２】
また、印刷万線（７）のピッチは一定とし、背景部（１２）を構成する凸状万線（６）のピッチを部分的又は全体的に異ならせることで、背景部をグラデーションとすることができる。
【０１１３】
また、本発明の特徴点である輪郭部（１３）について、前述までは出現する各模様において、配列されている凸画線（８）の長手方向（第一の方向（Ｘ）と垂直方向）における潜像部（１１）と背景部（１３）の境界となる両側に輪郭部（１３）を同じ幅で設けていたが、本発明はこれに限定されず、潜像部（１１）に対して、両側で幅を異ならせても良い。
【０１１４】
例えば、図１６に示すように、第一の画像（３）を「Ｈ」とした場合、潜像部（１１）に対して左側に該当する輪郭部（１３）の幅を狭く、逆に、右側に該当する輪郭部（１３）を広くする。その場合、出現する画像において、輪郭部（１３）が模様の影のように視認され、立体的な効果を奏することとなる。
【０１１５】
さらに、今まで説明した第１実施形態、その第１変形例、第２変形例、第２実施形態及びその第１変形例の五つの実施形態については、一つの画像を形成する際に、それぞれ組み合わせて構成することも可能であることは言うまでもない。
【０１１６】
以下、実施例を用いて本発明を更に具体的に説明するが、本発明を限定するものではない。
【０１１７】
（実施例１）
実施例１として、図９に示した第１実施形態の第１変形例により形成体（１）を作製した。形成体（１）は、基材（２）として上質紙（日本製紙製  ＮＰＩ上質紙  ８１．４ｇ／ｍ２）を用いた。基材（２）上に、スクリーン印刷機（ＲＡＮＡＳ製  ＭＦ−２５０）を用いて、スクリーン印刷用ＵＶ硬化型インキにより、凸状万線（６）を形成した。凸状万線（６）は、３００μｍの画線であり、ピッチ（ｄ）を５００μｍとした。
【０１１８】
図９（ａ）に示したように、第一の要素（１６）を１２０μｍの一定幅の画線として形成し、第二の要素（１７）を１２０μｍの一定幅の画線として形成した。また、第一の潜像部（１１ａ）及び第二の背景部（１２ｂ）は、共に第１の色として、同じ色のオフセットインキ（Ｔ＆Ｋ  ＴＯＫＡ製  ベストキュア  紅）を用いて印刷し、第一の背景部（１２ａ）及び第二の潜像部（１１ｂ）は、共に第２の色として、同じ色のオフセットインキ（Ｔ＆Ｋ  ＴＯＫＡ製  ベストキュア  藍）を用いて印刷した。なお、第一の要素（１６）及び第二の要素（１７）は、各々オフセット印刷機（下垣鉄工所製  ＥＰ−６０）により基材（２）上に形成した。
【０１１９】
実施例１にて作製した形成体（１）を、第一の観察角度（Ｅ１）から肉眼で観察したところ、第一の画像（３）における第一の潜像部（１１ａ）がマゼンタ色で視認でき、第一の背景部（１２ａ）がシアン色で視認できた。一方、第二の画像（４）及び第三の画像（５）は視認できなかった。次に、形成体（１）を第二の観察角度（Ｅ２）から観察したところ、第二の画像（４）における第二の潜像部（１１ｂ）がシアン色で視認でき、第二の背景部（１２ｂ）がマゼンタ色で視認できた。一方、第一の画像（３）及び第三の画像（５）は視認できなかった。更に、形成体（１）を第三の観察角度（Ｅ３）から観察したところ、マゼンタ色及びシアン色の混色した紫色の第三の画像（５）が視認できた。
【０１２０】
（実施例２）
実施例２として、図１１に示した第１実施形態の第２変形例により形成体（１）を作製した。形成体（１）は、基材（２）としてフォーム紙（日本製紙製  ＮＰＩフォーム紙  ８１．４ｇ／ｍ２）を用いた。基材（２）上に、スクリーン印刷機（ＲＡＮＡＳ製  ＭＦ―２５０）を用いて、スクリーン印刷用ＵＶ硬化型インキにより、凸状万線（６）を形成した。凸状万線（６）は、３００μｍの画線であり、ピッチ（ｄ）を５００μｍとした。
【０１２１】
図１１（ａ）に示すように、第一の要素（１６）を１２０μｍの一定幅の画線として形成し、第二の要素（１７）を１２０μｍの一定幅の画線として形成した。また、第一の潜像部（１１ａ）及び第二の背景部（１２ｂ）は、共に第１の色として同じ色のオフセットインキ（Ｔ＆Ｋ ＴＯＫＡ製  ＢＯ特練ＰＡＮＴＯＮＥ紫）を用いて印刷し、第一の背景部（１２ａ）及び第二の潜像部（１１ｂ）は、共に第２の色として同じ色のオフセットインキ（Ｔ＆Ｋ ＴＯＫＡ製  ＢＯ特練ＰＡＮＴＯＮＥ緑）を用いて印刷した。なお、第一の要素（１６）及び第二の要素（１７）は、各々オフセット印刷機（下垣鉄工所製  ＥＰ―６０）により基材（２）上に形成した。
【０１２２】
実施例２にて作製した形成体（１）を、第一の観察角度（Ｅ１）から肉眼で観察したとこと、第一の画像（３）における第一の潜像部（１１ａ）が紫色で視認でき、第一の背景部（１２ａ）が緑色で視認できた。
【０１２３】
次に、形成体（１）を、基材（２）に対して視点を第一の観察角度（Ｅ１）から第三の観察角度（Ｅ３）へと徐々に変化させたところ、その観察角度の変化に伴い、第一の潜像部（１１ａ）においては、紫色に対して緑色が混色する比率が徐々に多くなり、第一の背景部（１２ａ）においては、緑色に対して紫色が混色する比率が徐々に多くなった。つまり、第一の潜像部（１１ａ）は、紫色から、緑成分の多い茶色へと変化し、第一の背景部（１２ａ）は、緑色から紫成分の多い茶色へと変化した。そして、視点が基材（２）に対して第三の観察角度（Ｅ３）となるとき、第一の画像（３）及び第二の画像（４）と同一の第三の画像（５）が紫色と緑色が同じ比率で混色した茶色として視認できた。
【０１２４】
更に、形成体（１）を、基材（２）に対して視点を第三の観察角度（Ｅ３）から第二の観察角度（Ｅ２）へと徐々に変化させたところ、その観察角度の変化に伴い、第一の潜像部（１１ａ）においては、紫色に対して緑色が混色する比率が徐々に多くなり、第一の背景部（１２ａ）においては、緑色に対して紫色が混色する比率が徐々に多くなった。つまり、第一の潜像部（１１ａ）は、茶色から緑色へと徐々に変化し、第一の背景部（１２ａ）は、茶色から紫色へと徐々に変化した。そして、視点が基材（２）に対して第二の観察角度（Ｅ２）となるとき、第一の潜像部（１１ａ）と同一である第二の潜像部（１１ｂ）が緑色で視認でき、第一の背景部（１２ａ）と同一である第二の背景部（１２ｂ）が紫色で視認できた。
【０１２５】
以上、本発明に係る実施例１〜２に基づいて実施の形態を説明したが、上記実施例に限定されることなく、特許請求の範囲記載の技術的思想の範囲内で、更にいろいろな実施例があることは言うまでもない。
【符号の説明】
【０１２６】
１  形成体
２  基材
３  第一の画像
４  第二の画像
５  第三の画像
６  凸状万線
７  印刷万線
８  凸画線
９  第一の側部
１０  第二の側部
１１  潜像部
１１ａ    第一の潜像部
１１ｂ    第二の潜像部
１２  背景部
１２ａ    第一の背景部
１２ｂ    第二の背景部
１３  輪郭部
１４  頂上部
１５  底部
１６  第一の要素
１７  第二の要素
１８  重複領域
Ｓ  偽造防止印刷物
Ｘ  第一の方向
Ｅ１  第一の観察角度
Ｅ２  第二の観察角度
Ｅ３  第三の観察角度
【図１】
2015013380.tif 000003
【図２】
2015013380.tif 000004
【図３】
2015013380.tif 000005
【図４】
2015013380.tif 000006
【図５】
2015013380.tif 000007
【図６】
2015013380.tif 000008
【図７】
2015013380.tif 000009
【図８】
2015013380.tif 000010
【図９】
2015013380.tif 000011
【図１０】
2015013380.tif 000012
【図１１】
2015013380.tif 000013
【図１２】
2015013380.tif 000014
【図１３】
2015013380.tif 000015
【図１４】
2015013380.tif 000016
【図１５】
2015013380.tif 000017
【図１６】
2015013380.tif 000018